(57)【要約】      （修正有）【課題】プレキャストコンクリートブロックを用いないで、法留めを構築する。【解決手段】護岸工事を行う法面の下側に、対向する一対の鋼製せき板を自立するようにリンクで繋ぎながら、互に連結して横方向に延長する。これらせき板の間に生コンクリートを打設して壁ないし桁状の構造物を形成し、せき板は、コンクリートの中に埋め込まれたリンクを介して該構造物の表面に固定されるようにする。【選択図】        図２
2006112138.tif 000002
【特許請求の範囲】
【請求項１】
護岸工事を行う法面の周りに、対向する一対の鋼製せき板を自立するようリンクで繋ぎながら、隣のもの同士連結して延長し、これらせき板の間に生コンクリートを打設して壁ないし桁状の構造物を形成し、該せき板は、コンクリートの中に埋め込まれた該リンクを介して該構造物の表面に固定されるようにした護岸用鋼製枠工法。
【請求項２】
一対の該せき板を、地中に打ち込まれた一連の遮水矢板を挟むように立て、該矢板の頭部が該構造物の中に埋め込まれるようにした請求項１に記載の護岸用鋼製枠工法。
【請求項３】
間隔を存して対向する一対の鋼製せき板と、各せき板の側部同士を着脱自在に繋ぐ、中央部が互に枢着されたＸ状のりンクからなるコンクリート壁ないし桁成形用残存型枠。
【請求項４】
該せき板が、その周囲に、内側に向けて折曲したフランジを有している請求項３に記載のコンクリート壁ないし桁成形用残存型枠。
【請求項５】
該リンクの各端に頭付きピンを設け、該頭付きピンを挿入、係止することのできるできる鍵孔状の孔を該フランジに穿設した請求項３または４に記載のコンクリート壁ないし桁成形用残存型枠。
【請求項６】
隣接するせき板同士を繋ぐために、該せき板の一方の該フランジに爪を設け、隣のせき板に設けられるこれと同形の爪が掛合する孔を他方のフランジに設けた請求項３、４または５に記載のコンクリート壁ないし桁成形用残存型枠。
【発明の詳細な説明】
【技術分野】
【０００１】
この発明は、河川等の護岸工事を行うときに、法面に枠（法留めおよび小口留め）を構築するための工法およびそれに使用する残存型枠に関する。
【背景技術】
【０００２】
河川等の護岸工事は、法面全体をコンクリートで覆ってしまうのが従来の方法であったが、これでは自然が失われるという反省から、最近ではふとん籠（金網の籠）や鋼製枠の中に詰めた石塊で法面を覆う工法が多くなっている。いずれの工法でも、まず、護岸工事を行う法面の下側（すなわち河川の岸辺）にコンクリート製の法留め枠を構築することから工事が始まる。また、護岸工事を行う法面の両端にも同様の枠（小口留め）が必要になる。
【０００３】
従来の法留め枠は、図５に示すように、地中に打ち込まれた一連の遮水矢板９を跨ぐように、プレキャストコンクリートブロック２０を並べ、ブロック上面の穴２１から内部に中詰めコンクリートを打設するようにして構築していた（実公平７−１６７３５号公報参照）。この方法では、工事の際、コンクリートブロックを吊り上げるために重機（クレーン）を必要とする。
【０００４】
また、プレキャストコンクリートブロックは矢板の頭部を跨がなければならないが、最近の矢板は、本数を減らして打ち込みの費用を軽減するため広幅化しており、それにしたがって厚み（ウエッブの寸法）も大きくなっている。このため、ブロックもそれに対応した大型のものを使わなければならないのでコスト高になる。
【発明の開示】
【発明が解決しようとする課題】
【０００５】
この発明は、クレーンのような重機を必要とせず、また、厚みのある矢板にも対応することのできる鋼製枠工法を提供することを課題とする。
【課題を解決するための手段】
【０００６】
この発明の護岸用鋼製枠工法は、護岸工事を行う法面の周りに、対向する一対の鋼製せき板を自立するようにリンクで繋ぎながら、互に連結して横方向に延長し、これらせき板の間に生コンクリートを打設して壁ないし桁状の構造物を形成し、せき板は、コンクリートの中に埋め込まれたリンクを介して該構造物の表面に固定されるようにしたものである（請求項１）。
【０００７】
この工法では、対向する一対のせき板をリンクで繋いで自立させながら、これを幾つも横方向に連結して長く延ばしていくようにしたものであり、せき板を垂直に保持するためのばた材や、せき板同士の間隔を保持するためのフォームタイのようなものは必要がなく、型枠工事が極めて簡単になるという特徴がある。また、でき上がったコンクリート構造物の中に、対向するせき板同士を結んでいるリンクが埋め込まれてしまうで、せき板は構造物の表面に強固に固定され、剥離するおそれがない。したがって、せき板は撤去する必要がなく、撤去費用が節減できる。その他、プレキャストコンクリートブロックを用いないので、コンクリートブロックを吊り上げるために重機（クレーン）を必要としないなどの効果もある。
【０００８】
法面の下側、すなわち河川の岸辺には、通常、遮水のため地中に矢板が打ち込まれる。この場合は、一対のせき板を、地中に打ち込まれた一連の遮水矢板を挟むように立て、矢板の頭部が構造物の中に埋め込まれるようにする（請求項２）。この工法では、一対のせき板の間隔はリンクの長さを変えることで狭くも広くもできるので、厚みが異なる矢板に自在に対応することができる。
【０００９】
この発明は、上述の工法に使用できるだけでなく、その他のコンクリート製の壁ないし桁を成形するすることのできる残存型枠も提供する。すなわち、請求項３の残存型枠は、間隔を存して対向する一対の鋼製せき板と、各せき板の側部同士を着脱自在に繋ぐ、中央部が互に枢着されたＸ状のりンクからなる。このものでは、リンクがＸ状で、中央部が互に枢着されているので、これで接続された一対の鋼製せき板が互に倒れないように支えあって自立するので、組立作業が容易になる。
【００１０】
せき板には、その周囲に、内側に向けて折曲したフランジを設けることができる（請求項４）。このフランジは、コンクリート打設時に変形しないようせき板に強度を持たせる。従来の型枠用せき板にもフランジを備えているものがあるが、フランジの向きは必ず外向きである。このものではあえて内向きにすることにより、フランジがコンクリート構造物の中に埋め込まれてしまい、外に出っ張ることがなく、残存型枠にとって都合がよい。また、側部のフランジ同士をＸリンクで繋ぐようにすれば、リンク全体がコンクリート構造物の中に埋め込まれてしまい、都合がよい。
【００１１】
Ｘリンクの取付けを容易にするために、リンクの各端に頭付きピンを設け、その頭付きピンを挿入、係止することのできるできる鍵孔状の孔をフランジに穿設するとよい（請求項５）。
【００１２】
せき板の一方のフランジに爪を設け、隣のせき板に設けられるこれと同形の爪が掛合する孔を他方のフランジに、設けるようにすれば、孔の中に爪を掛けるだけで隣同士のせき板の連結が容易にできる。
【発明を実施するための最良の形態】
【００１３】
鋼製せき板１は図１および図２に示すように、表側板１ａと裏側１ｂ板で１対をなし、いずれのせき板も、厚み1mmほどの鋼板製で防錆メッキを施してある。表側板１ａは平面、裏側板１ｂは「く」の字形に形成され、いずれも周縁には、内側に向けて折曲したフランジ２を有している。
【００１４】
これら一対のせき板を間隔を存して結合するのがＸ状リンク３である。これは２本の防錆メッキを施した鋼板製リンクの中央を互にピン４で回動自在に枢着したものであり、リンクの各端には頭付きのピン５を設ける。これらのピン５が係止できるよう、各せき板の側部フランジ２に孔６を穿設する。この孔６は図２に示すように鍵孔状、すなわち、大径部６ａとこれから延びるノッチ６ｂからなっており、大径部６ａはピン５の頭５ａが通過できる大きさであり、ノッチ６ｂにピン５を押し込むことにより、ピンの頭５ａが引っかかってピン５がノッチ６ｂから外れないようになっている。Ｘ状リンク３の各端のピン５を対応する孔６に係合すると、１対のせき板は、決まった位置関係、すなわち表板１ａが垂直に、裏板１ｂが表せき板の方に少し倒れかかったような格好に固定され、安定的に自立するようになる。
【００１５】
せき板１を横方向に連結するために、せき板の側部フランジ２に、図３に示すように、一方の側に下向きの爪７を設け、反対側に４角形の孔８をあけておく。せき板を連結するときは、図３に断面で示すように、一方のせき板の孔８に他方のせき板の爪７を押し込み、爪側のせき板を下に押し下げることにより、爪７が孔８の下縁に掛かり、両せき板は離れないようになる。こうして隣のせき板を連結したら、図２のＡ−Ａ断面に示すように、重なり合った２枚の側部フランジ２の孔６にピン５かけるようにしてＸ状リンク３を取り付ける。
【００１６】
このようにして、地盤の上に表裏のせき板１ａ、１ｂを設置し、長く延ばして行く。遮水矢板９を用いるときは、予め地中に打ち込んでおき、地上に出ている矢板の頭部を囲うようにせき板１を並べていく。
【００１７】
連結したせき板は図２に示すように鉄パイプ１０をあてがって補強する。鉄パイプは、各せき板に予めあけてあった小孔１１に鉄線１２を通し、これで結束するようにする（図１）。さらに、図２に示すようにせき板１が浮き上がらないよう、杭１３を打つて、杭の頭に設けたフック１３ａで鉄パイプ１０を抑える。
【００１８】
こうして型枠ができたら（図２）、その中に生コンクリートを打設し、バイブレータを使って締め固め作業を行い、養生する。中詰コンクリート１４が硬化したら、鉄パイプ１０および杭１３を撤去すれば、法留め１５が完成する。鋼製せき板は撤去しないでそのままにする。
【００１９】
図４は、でき上がった法留め１５をベースとして、法面に鋼製枠１６を設置し、その中に石塊１７をぎっしり詰めて護岸を構築した状態を示す。法留め１５の表面を覆っている表裏の各鋼製せき板１ａ、１ｂは、コンクリートの中に埋め込まれたＸ状リンク３で固定されているので剥がれることはない。
【図面の簡単な説明】
【００２０】
【図１】法留め用残存型枠の組立状態斜視図である。
【図２】同じく法留め用残存型枠の側面図である
【図３】隣同士のせき板を連結するための爪の説明図である。
【図４】護岸の断面図である。
【図５】従来の法留め用プレキャストコンクリートブロックである。
【符号の説明】
【００２１】
１  鋼製せき板
２  フランジ
３  リンク
５  頭つきピン
６  鍵孔状の孔
６ａ  大径部
６ｂ  ノッチ
９    矢板
１５  法留め
【図１】
2006112138.tif 000003
【図２】
2006112138.tif 000004
【図３】
2006112138.tif 000005
【図４】
2006112138.tif 000006
【図５】
2006112138.tif 000007